(57)【要約】      （修正有）【課題】用いる場所の制約が少なく、１回の揺動で充分に長い距離を移動できる揺動推進玩具を提供する。【解決手段】下に凸な湾曲部１０ａを下端に有する玩具本体１０と、当該湾曲部１０ａに前後列設され回動自在に軸支された左右複数対の車輪２０，…と、玩具本体１０に揺動自在に軸支された上端部から後下方に延出され、下端が玩具本体１０の下縁より低位に至る棹２１と、該棹２１を前方に付勢するばねとを具える。幼児が乗って重心を前後に移動すると、玩具本体１０が前後に揺動する。それに伴って、棹２１の下端が載置面を突っ張り、車輪２０，…が回転して、揺動推進玩具１は自ずと前進する。【選択図】図１
0003169964.tif 000002
【実用新案登録請求の範囲】
【請求項１】
下に凸な湾曲部を下端に有する玩具本体と、当該湾曲部に前後列設され回動自在に軸支された左右複数対の車輪と、上端部が玩具本体に揺動自在に軸支され、玩具本体の下縁より低位に至るまで後下方に延出された棹と、該棹を前方に付勢するばねとを具えてなることを特徴とする揺動推進玩具。
【請求項２】
棹の下端が、ゴム製のカバーで被覆されてなることを特徴とする請求項１に記載の揺動推進玩具。
【請求項３】
動物を模して形成されてなることを特徴とする請求項１又は請求項２に記載の揺動推進玩具。
【考案の詳細な説明】
【技術分野】
【０００１】
本考案は、揺動推進玩具、即ち、幼児が乗って前後揺動すると前進する乗物玩具に関する。
【背景技術】
【０００２】
幼児用が跨って遊ぶ乗物玩具として、前後揺動可能な木馬が知られている。従来の木馬は、単に前後揺動するものであったが、揺動により前進する機能を付した玩具が提案されている。
【０００３】
例えば、上部に木馬が固定された弧型橇と、木馬の胴体の下面に上支点を蝶番で取り付けられた棹とを有し、該棹の下端が前記弧型橇の下面の地面に届くようにされた前進木馬が開示されている（例えば、特許文献１参照）。
【０００４】
また、動物を象った乗物玩具本体が上部に装着された橇の略中央部に複数個のローラーを軸支すると共に、前記橇の前方及び後方には、後方側への揺動のみが許容される回動体を軸支した揺動乗物玩具が開示されている（例えば、特許文献２参照）。
【先行技術文献】
【特許文献】
【０００５】
【特許文献１】特開平６−２４６０７１号公報
【特許文献２】登録実用新案第３０８７３９８号公報
【考案の概要】
【考案が解決しようとする課題】
【０００６】
しかしながら、上記特許文献１に記載の前進木馬は、橇を滑らせて前進する構成であるから、１回の揺動による移動距離が短い、推進力に乏しいものであった。また、屋内で用いると床面を傷付ける虞があり、一方、屋外で用いるにしても、地面が軟弱な場所では棹の下端が地中に埋もれて前進しない虞があった。つまり、当該前進木馬は、それを用いる場所に大きな制約を伴うものであった。
【０００７】
また、特許文献２に記載の揺動乗物玩具は、回動体の僅かな回転を利用して前進する構成であるから、１回の揺動で前進する距離が短く、面白みに欠けるものであった。
【０００８】
上記問題点に鑑み、本考案は、用いる場所の制約が少なく、１回の揺動で充分に長い距離を移動できる揺動推進玩具を提供することを課題とする。
【課題を解決するための手段】
【０００９】
上記課題を解決する第１の考案は、下に凸な湾曲部を下端に有する玩具本体と、当該湾曲部に前後列設され回動自在に軸支された左右複数対の車輪と、上端部が玩具本体に揺動自在に軸支され、玩具本体の下縁より低位に至るまで後下方に延出された棹と、該棹を前方に付勢するばねとを具えてなる揺動推進玩具である。
【００１０】
第２の考案は、第１の考案の揺動推進玩具であって、棹の下端が、ゴム製のカバーで被覆されてなる。
【００１１】
第３の考案は、動物を模して形成されてなる第１又は第２の考案の揺動推進玩具である。
【考案の効果】
【００１２】
第１の考案によれば、湾曲部を利用して玩具本体を前後揺動すると、後方に重心を移した時に棹が玩具の載置面を突っ張り、車輪が回転して玩具本体が前進する。その後、重心が前方に移ると、ばね付勢された棹が最も低い位置に復帰すると共に、車輪が回転して揺動推進玩具は前進を続ける。したがって、幼児が乗って重心を前後に繰り返し移動するのみで、揺動推進玩具は揺動し、それに伴って前進する。１回の揺動で大きな推進力が得られるから、幼児の遊び心を満足させることができる。
【００１３】
第２の考案によれば、棹の下端が、ゴム製のカバーで被覆されているから、摩擦が大きく、棹の下端が載置面上を滑り難い。そのため、揺動推進玩具は、効果的に推進力を得ることができる。また、カバーが弾性を有するから、揺動推進玩具を床面その他の屋内の載置面上で用いる場合でも、当該載置面を傷付ける虞が低減される。
【００１４】
第３の考案によれば、揺動推進玩具が動物を模して形成されているから、当該揺動推進玩具は、幼児の遊び心を刺激する、より魅力的な玩具となる。
【図面の簡単な説明】
【００１５】
【図１】本考案の揺動推進玩具を示す背面斜視図である。
【図２】本考案の揺動推進玩具を示す側面図である。
【図３】本考案の揺動推進玩具を示す正面図である。
【図４】本考案の揺動推進玩具を示す側面図である。
【図５】本考案の揺動推進玩具を示す側方視断面図である。
【考案を実施するための形態】
【００１６】
以下に、本考案を実施するための形態を、図面を参照して詳細に説明するが、本考案はこれに限定されるものではない。
【００１７】
本考案の揺動推進玩具１は、図１乃至図５に示される様に、下に凸な湾曲部１０ａを下端に有する玩具本体１０と、当該湾曲部１０ａに前後列設され回動自在に軸支された左右複数対の車輪２０，…と、上端部が玩具本体１０に揺動自在に軸支され、玩具本体１０の下縁より低位に至るまで後下方に延出された棹２１と、該棹２１を前方に付勢するばね２２とを具えてなる。
【００１８】
玩具本体１０は、側板１１，座席底板１２，座席前板１３，座席後板１４，背板１５，縦板１６，前部接合板１７，及び後部接合板１８を有する。
【００１９】
左右２枚の側板１１，１１は、上部の前後略中央がそれぞれ矩形に切り欠かれ、正面視ハ字状に配置されている。側板１１の下端の前後略中央は、前方及び後方が上方に湾曲し下に凸な略円弧状に形成され、玩具本体１０の湾曲部１０ａを構成している。玩具本体１０は、湾曲部１０ａを載置面Ｓに接する様にして前後揺動可能であって、湾曲部１０ａの前後に、その揺動を阻害する突出部分を持たない。
【００２０】
側板１１上部の矩形に切り欠かれた部分には、その下端に座席底板１２、その前端に座席前板１３、及びその後端に座席後板１４が止着されている。座席底板１２は略矩形に形成されているが、座席前板１３及び座席後板１４は、下端中央が台形状に切り欠かれ、当該切り欠かれた部分の両端を側板１１の外面に接して配設されている。座席前板１３は、幼児が乗り易い様に、その上側部が斜めに切り欠かれている。座席底板１２，座席前板１３，及び座席後板１４は、幼児が乗るための座席１０ｂを構成すると共に、左右の両側板１１，１１を相互連結する機能を有する。
【００２１】
座席１０ｂの後方には、背板１５が配設されている。背板１５は、両側板１１，１１の上部に略水平に載置されると共に、その前端は座席後板１４に止着されている。背板１５の下方には、両端を両側板１１，１１にそれぞれ連結され、左右の両側板１１，１１を内方で連結する略台形状の後部接合板１８が設けられている。後部接合板１８の左右略中央には、棹２１の揺動をガイドするガイド溝１８ａが穿設されている。
【００２２】
縦板１６は、左右の両側板１１，１１で挟持されると共に、その後端が座席前板１３に止着されている。縦板１６の下方には、図３に示される様に、両端が左右の両側板１１，１１にそれぞれ連結され、両側板１１，１１を内方で連結する略台形状の前部接合板１７が設けられている。前部接合板１７は、縦板１６の下縁に接し、縦板１６を支承する機能を有する。
【００２３】
側板１１，座席底板１２，座席前板１３，座席後板１４，背板１５，縦板１６，前部接合板１７，及び後部接合板１８は、何れも平らな木製の板状材であって、それらを止着材（図示せず）で止着し連結することにより、玩具本体１０が形成されている。これら板状材を相互に連結する手段は必ずしも止着に限られず、例えば嵌着，螺着，接着等の手段で連結し、又は連結用の金具を用いて連結することもできる。これら板状材の材質は適度な剛性を有していれば必ずしも木に限られず、金属，合金，合成樹脂その他の材質であっても良いが、軽量で加工容易な木が最も好適である。また、玩具本体１０は、下端に湾曲部１０ａを有する形状であれば良く、必ずしもこれら板状材を連結して作製されることに限られない。例えば、玩具本体１０の全体又は一部を合成樹脂成型し、玩具本体１０の左右両端に至る幅広い湾曲部１０ａを形成しても良い。
【００２４】
車輪２０，…は、湾曲部１０ａに、回動自在に設けられている。図１及び図２においては、前後両端を側板１１に止着された金属製の車輪取付具２０ａに、各１個の合成樹脂製車輪２０がそれぞれ回動自在に軸支され、湾曲部１０ａには車輪２０の自由な回動を許容する切り欠き１１ａが設けられている。車輪の取付手段は必ずしもこれに限られず、例えば、側板１１の下端部から内方若しくは外方に突設された軸に車輪を回動自在に軸支し、又は、左右２個の車輪と一体に回動する軸の両端を、左右の側板１１，１１にそれぞれ回動自在に軸支しても良い。車輪２０，…の材質は剛性の材質であれば特に限定されず、金属材，合金材，合成樹脂材，木材その他の材料で作製されるが、加工成形容易な合成樹脂材が好適に用いられる。床面その他の屋内の載置面Ｓを傷付けないために、車輪２０の外周にゴム材を貼設することもできる。
【００２５】
車輪２０，…は湾曲部１０ａに前後列設されており、相等しい前後位置に設けられた左右の車輪２０，２０が、それぞれ対をなしている。図４に実線で示される様に、玩具本体１０は、後方に向け最も大きく傾いた時には、最後尾の１対の車輪２０，２０と棹２１の下端とで支持される。一方、図４に仮想線で示される様に、前方に向け最も大きく傾いた時には、最前の２対の車輪２０，…で支持される。したがって、少なくとも２対の車輪２０，…が必要であり、玩具本体１０の大きな揺動を許容して充分な推進力を得るためには、湾曲部１０ａの前後略中央を中心として少なくとも３対の車輪２０，…が設けられていることが好ましい。
【００２６】
ハンドル２４は、縦板１６を左右に貫通する貫通孔に嵌着された、略円柱形状の部材である。当該貫通孔に対するハンドル２４の回動を規制するため、及び、当該貫通孔からのハンドル２４の脱落を防ぐために、両端が開口しフランジを周設された円筒管２４ａが、ハンドル２４に外嵌着されると共に、前記貫通孔に嵌入されている。ハンドル２４の左右両端には、その稜部で幼児が怪我をしない様に、一端が封止された略円筒形状の合成樹脂製キャップ２４ｂが嵌着されている。ハンドル２４の形状及び取付手段は、左右に突出するハンドル２４が縦板１６に固定されていれば良く、必ずしもこれに限定されない。例えば、互いに別体として作製された２本のハンドル２４，２４が、縦板１６の左右に螺着又は止着されていても良い。幼児が揺動推進玩具１で遊ぶ際には、座席１０ｂに跨る様に着座し、両手でハンドル２４を把持する。それによって、本考案の揺動前進玩具１が前後揺動しても、幼児が落下する虞が低減される。
【００２７】
棹２１は、略円筒形の２本の管を略Ｔ字状に連結して形成された揺動軸２１ｂに、略円筒形の棹本体２１ａを内嵌着して形成されている。図５に示される様に、断面略Ω字状に形成された左右１対の取付金具２１ｃ，２１ｃが、その上下両端部を座席後板１４の背面上端部に止着されて設けられおり、取付金具２１ｃ，２１ｃの上下略中央の嵌合部２１ｄ，２１ｄに揺動軸２１ｂを内嵌することにより、棹２１は前後揺動自在に軸支されている。側板１１，１１は、揺動軸２１ｂが配置される部分が一部切り欠かれ、揺動軸２１ｂの回動を阻害しない様にされている。棹２１の上端部を揺動自在に軸支する手段は必ずしも上記に限定されず、例えば、上端部が穿孔された棹２１を、両側板１１，１１に両端を連結されたピンに揺動自在に外嵌しても良い。
【００２８】
棹本体２１ａの中間部と、座席後板１４の下端の左右略中央には、環状フック２１ｅ，１４ａがそれぞれ螺着されて設けられており、棹２１を前方に向けて付勢するばね２２が、それら環状フック２１ｅ，１４ａに両端を係止されて設けられている。棹２１はガイド溝１８ａにガイドされる範囲で揺動自在であり、ばね２２の付勢力以外に外力が働かない限り、ガイド溝１８ａの下端に接触する位置に配置される。ばね２２は、棹２１を前方に向けて付勢するものであれば良く、必ずしも図示される引っ張りばねに限定されず、例えば、座席後板１４と棹本体２１ａを連結するねじりコイルばねや、後部接合板１８と棹本体２１ａとを連結する圧縮ばねであっても良い。
【００２９】
棹本体２１ａは、揺動軸２１ｂに内嵌着された部分から後下方に延出され、その下端は、玩具本体１０の下縁よりも低い位置に至り、揺動推進玩具１を載置した載置面Ｓに当接する。棹本体２１ａの下端は、一端が封止された管状のゴム製カバー２３で被覆されている。カバー２３で被覆された棹本体２１ａの下端は、摩擦抵抗が大きく載置面Ｓ上を滑り難いから、カバー２３を設けた揺動推進玩具１は、効果的に推進力を得ることができる。また、カバー２３は弾性を有しているから、床面その他の屋内の載置面Ｓを傷付けない様に保護する機能を併せ持つ。カバー２３の材質はゴムであれば特に限定されず、天然ゴム，合成ゴム等の任意のゴムを用いることができる。
【００３０】
上記の様に構成された本考案の揺動推進玩具１は、揺動されることにより前進する構成である。まず、幼児が、座席１０ｂを跨ぐ様に着座して揺動推進玩具１に乗り、ハンドル２４を両手で把持する。玩具本体１０の下端に湾曲部１０ａが形成されているので、揺動推進玩具１は、重心を前後に移動するのみで容易に揺動する。幼児が後方に重心を移すと、棹２１が載置面Ｓを突っ張ることにより、車輪２０，…が回転し、玩具本体１０は前進する。その後、幼児が重心を前方に移すと、車輪２０，…の回転により揺動推進玩具１は前進を続け、棹２１はガイド溝１８ａの下端に接触する位置に復帰する。したがって、幼児が前後方向の重心移動を繰り返すのみで、玩具本体１０が揺動し、それに伴って揺動推進玩具１は前進する。
【００３１】
揺動推進玩具１を用いる載置面Ｓは、カバー２３との接触で推進力を与える硬い面であれば良い。カバー２３を設けることにより、床面等の屋内の載置面Ｓを傷付けることも回避されるから、揺動推進玩具１は、屋外のみならず屋内でも使用できる。
【００３２】
図示される揺動推進玩具１は、その縦板１６がウサギの頸部を模して形成されると共に、その棹本体２１ａにはウサギの尻尾を模した添設部２１ｆが添設されている。この様に動物を模り、又は塗装を施すことにより、揺動推進玩具１は、幼児の遊び心を刺激するより魅力的な玩具となる。揺動推進玩具１が模す動物はウサギに限定されず、例えば、ウマ，キリン，ゾウ等の陸生四肢動物や、アザラシ，アシカ，オットセイ等の海獣であっても良い。
【符号の説明】
【００３３】
１  揺動推進玩具
１０  玩具本体
１０ａ  湾曲部
１０ｂ  座席
１１  側板
１１ａ  切り欠き
１２  座席底板
１３  座席前板
１４  座席後板
１４ａ，２１ｅ  環状フック
１５  背板
１６  縦板
１７  前部接合板
１８  後部接合板
１８ａ  ガイド溝
２０  車輪
２０ａ  車輪取付具
２１  棹
２１ａ  棹本体
２１ｂ  揺動軸
２１ｃ  取付金具
２１ｄ  嵌合部
２１ｆ  添設部
２２  ばね
２３  カバー
２４  ハンドル
２４ａ  円筒管
２４ｂ  キャップ
Ｓ  載置面
【図１】
0003169964.tif 000003
【図２】
0003169964.tif 000004
【図３】
0003169964.tif 000005
【図４】
0003169964.tif 000006
【図５】
0003169964.tif 000007